(57)【要約】【課題】  貯蔵室内に受容された貯蔵容器をユーザーが簡便に願う位置だけ、上昇させることができる冷蔵庫を提供することができる。【解決手段】  貯蔵容器を受容する貯蔵室が形成された本体を含む冷蔵庫において、前記貯蔵室の下部に配置される昇降部と；長手方向に沿って相互に対向して配置され、相互に反対方向に巻かれた一対のネジ山部を有するバー状の回転部材と；前記回転部材を回転させる駆動手段と；一端部が前記各ネジ山部と噛合う雌ネジ部を有し、前記回転部材の回転に従って相互に接近及び離隔され、前記昇降部に相互に独立回動可能にヒンジ結合されるヒンジ結合部を有する一対の回動リンクとを含む。【選択図】      図４
2005195323.tif 000002
【特許請求の範囲】
【請求項１】
貯蔵容器を受容する貯蔵室が形成された本体を含む冷蔵庫において、
前記貯蔵室の下部に配置される昇降部と；
長手方向に沿って相互に対向して配置され、相互に反対方向に巻かれた一対のネジ山部を有するバー状の回転部材と；
前記回転部材を回転させる駆動手段と；
一端部が前記各ネジ山部と噛合う雌ネジ部を有し、前記回転部材の回転に従って相互に接近及び離隔され、前記昇降部に相互に独立回動可能にヒンジ結合されるヒンジ結合部を有する一対の回動リンクとを含むことを特徴とする冷蔵庫。
【請求項２】
前記回動リンクは、
前記雌ネジ部が形成されているスライダーと；
前記スライダーとヒンジ結合するリンク部材とを含むことを特徴とする請求項１に記載の冷蔵庫。
【請求項３】
前記スライダーは、
前記雌ネジ部が形成されているスライダー本体と、前記スライダー本体から延長された被案内部を含むことを特徴とする請求項２に記載の冷蔵庫。
【請求項４】
前記回転部材を支持する下部支持台をさらに含み、
前記下部支持台には、前記被案内部を案内するガイドレールが形成されていることを特徴とする請求項３に記載の冷蔵庫。
【請求項５】
前記昇降部に結合されて前記貯蔵容器を支持する貯蔵容器支持部をさらに含むことを特徴とする請求項１に記載の冷蔵庫。
【請求項６】
前記駆動手段は、モータを含み、
前記モータは、ヘリカルギヤによって前記回転部材と連結されることを特徴とする請求項１に記載の冷蔵庫。
【発明の詳細な説明】
【技術分野】
【０００１】
本発明は、冷蔵庫に係り、特に、飲食物を受容する貯蔵室が形成された本体と、本体と結合されて貯蔵室を開閉するドアとを含む冷蔵庫に関する。
【背景技術】
【０００２】
一般に、冷蔵庫は、飲食物及び貯蔵容器を受容する貯蔵室と貯蔵室の温度を適切に冷却するため形成された機械室を含む本体と、このような本体の一側に結合されて貯蔵室のドア開口を開閉するドアとを含む。
【０００３】
図１は、従来の冷蔵庫の斜視図で、冷蔵庫１は、本体１０と、本体１０の上部に付着されて貯蔵室１３のドア開口を上向き開閉するドア１１とを有する。
【０００４】
図２は、図１の断面図で、本体１０は、本体１０の内側に貯蔵容器１５を受容する貯蔵室１３と貯蔵室１３の下部に貯蔵室１３の温度を適切に冷却するため形成された機械室１７とを有する。
【０００５】
このような冷蔵庫は、貯蔵室の受容空間の確保のため、大型化され、貯蔵室の幅が広まり、深さが深まることによって、貯蔵室内に受容される貯蔵容器も大型化されている。従って、ユーザーは、さらに広まった貯蔵室内の下部に受容された重い貯蔵容器を直接に上げ難いという問題がある。
【０００６】
これによって、キムチ貯蔵庫の保管容器の上昇装置が韓国特許公開題１−２８４４６号に開示されている。このようなキムチ貯蔵庫の保管容器の上昇装置は、キムチ保管容器の底面に支持板上に支持されて弾性力を有する多くのスプリングが形成されており、ドアの閉鎖時には下降し、ドアの開放時には上昇するように構成されている特徴がある。
【０００７】
しかし、このようなスプリングの弾性力だけを利用した保管容器の上昇装置が付着されたキムチ貯蔵庫は、保管容器が重いほど高弾力のスプリング素材を使用しなければならなく、ドアの閉鎖時にはユーザーの力だけでスプリングを圧縮させなければならない問題がある。また、ドアの開放時、スプリングの弾性力だけによって保管容器が上昇するように構成されているので、保管容器の重さによって上昇幅が変動され、保管容器が重い場合には相対的に上昇幅が小さくて、ユーザーが願う位置だけ保管容器を上昇させることができない問題がある。
【発明の開示】
【発明が解決しようとする課題】
【０００８】
本発明の目的は、
貯蔵室内に受容された貯蔵容器をユーザーが簡便に願う位置だけ上昇させることができる冷蔵庫を提供することである。
【課題を解決するための手段】
【０００９】
前記目的を達成するために本発明による冷蔵庫は、貯蔵容器を受容する貯蔵室が形成された本体を含む冷蔵庫において、前記貯蔵室の下部に配置される昇降部と；長手方向に沿って相互に対向して配置され、相互に反対方向に巻かれた一対のネジ山部を有するバー状の回転部材と；前記回転部材を回転させる駆動手段と；一端部が前記各ネジ山部と噛合う雌ネジ部を有し、前記回転部材の回転に従って相互に接近及び離隔され、前記昇降部に相互に独立回動可能にヒンジ結合されるヒンジ結合部を有する一対の回動リンクとを含むことを特徴とする。
【００１０】
前記回動リンクは、前記雌ネジ部が形成されているスライダーと；前記スライダーとヒンジ結合するリンク部材とを含むことが好ましい。
【００１１】
前記スライダーは、前記雌ネジ部が形成されているスライダー本体と、前記スライダー本体から延長された被案内部を含むことが好ましい。
【００１２】
前記回転部材を支持する下部支持台をさらに含み、前記下部支持台には、前記被案内部を案内するガイドレールが形成されていることが好ましい。
【００１３】
前記昇降部に結合されて前記貯蔵容器を支持する貯蔵容器支持部をさらに含むことが好ましい。
【００１４】
前記駆動手段は、モータを含み、前記モータは、ヘリカルギヤによって前記回転部材と連結されることが好ましい。
【発明の効果】
【００１５】
上述したように、本発明によれば、貯蔵室内に受容された貯蔵容器をユーザーが簡便に願う位置だけ、上昇させることができる冷蔵庫を提供することができる。
【発明を実施するための最良の形態】
【００１６】
以下、添付した図面を参照して、本発明に対して詳細に説明する。
【００１７】
図３及び図４に示すように、本発明の実施形態による冷蔵庫１は、本体１０と、本体１０の上部に付着されて貯蔵室１３のドア開口を上向き開閉するドア１１と、を有する。本体１０は、本体１０の内側に貯蔵容器１５を受容する貯蔵室１３と、貯蔵室１３の下側に貯蔵室１３の温度を適切に冷却するため形成された機械室１７とを有する。また、貯蔵室１３の内部には、貯蔵容器１５を上下方向に移送する昇降装置２０が設けられる。
【００１８】
図５、図６及び図７に示すように、本発明による冷蔵庫１の昇降装置２０は、貯蔵室１３内に受容された貯蔵容器を支持する貯蔵容器支持部７３と、貯蔵容器支持部７３の下側に設けられて貯蔵容器支持部７３を支持する昇降部７０と、昇降部７０に対して下側に設けられる下部支持台８０とを有する。また、昇降装置２０は、下部支持台８０の側面に設けられて回転運動を発生する駆動モータ３０と、駆動モータ３０に一端部が付着されて回転駆動する回転部材４０と、回転部材４０とネジ結合（回転部材４０に形成されたネジ山部４１とこれに噛合うように形成された雌ネジ部６３とを設けて、相互に噛合い接触する結合）して回転部材４０の回転運動を貯蔵容器１５の上下運動に変換する回動リンク５０とを含む。
【００１９】
回動リンク５０は、回転部材４０の回転方向によって上昇または下降運動し、回転部材４０とネジ結合するスライダー６１と、スライダー６１にヒンジ結合するリンク部材５１とが構成されている。
【００２０】
リンク部材５１は、長手方向に折曲部５５を有する長い板状で、長手方向の両端部には折曲部５５だけが存在する。リンク部材５１には、スライダー６１とのヒンジ結合のため、リンク部材５１の一端部には一対の第１ヒンジ結合部５３が形成されている。第１ヒンジ結合部５３には、端部から延長された折曲部５５に形成された対向する一対の第１結合孔５６ａが設けられており、一対の第１結合孔５６ａは回転部材４０を間において相互に対向する。第１ヒンジ結合部５３は、実施形態に限られず多様な形態に構成することができる。例えば、折曲部５５の端部が
【００２１】
（外１）
2005195323.tif 000003
形状になっている第１ヒンジ結合部５３としても差し支えない。第１ヒンジ結合部５３が設けられる端部に折曲部５５だけが存在することは回動リンク５０が下降状態にある時、リンク部材５１とスライダー本体６２が干渉されることを防止するためのである。リンク部材５１の他端部には、昇降部７０とヒンジ結合するため一対の第２ヒンジ結合部５４が形成されている。第２ヒンジ結合部５４も端部から延長された折曲部５５に形成されている。第２ヒンジ結合部５４が設けられる端部に折曲部５５だけが存在することは回動リンク５０の下降時に昇降部７０とヒンジ結合する部分で一対のリンク部材５１が相互に干渉されないようにするためのである。第１ヒンジ結合部５３及び第２ヒンジ結合部５４は、連結部５２によって連結されている。
【００２２】
リンク部材５１は、第１リンク部材５１ａと第２リンク部材５２ｂがあり、それぞれは昇降部７０と締結ピン７２によってヒンジ結合される。リンク部材５１とヒンジ結合する昇降部７０には、結合孔７１が形成されており、結合ピン７２が結合孔７１と第２ヒンジ結合部５４を通過しながらリンク部材５１と昇降部７０とをヒンジ結合する。この時、ヒンジ結合の便利のため、第２ヒンジ結合部５４の対向する一対の結合孔５６ｂの間の距離は、第１リンク部材５１ａと第２リンク部材５１ｂが多少異なることが好ましい。一対のリンク部材５１が共に昇降部とヒンジ結合されている実施形態とは異なりに、第１リンク部材５１ａと第２リンク部材５１ｂが昇降部７０とそれぞれヒンジ結合されていても差し支えない。
【００２３】
このように、リンク部材５１の一端は、スライダー６１とのヒンジ結合によって回転部材４０の回転によって昇降し、他端は昇降部７０とヒンジ結合して昇降部７０の上部に形成されている貯蔵容器支持部７３を上昇させる。下降時には、回転部材４０の回転方向が反対になって上昇と反対過程を経る。
【００２４】
スライダー６１のスライダー本体６２には、回転部材４０を受容するための雌ネジ部６３が形成されている。雌ネジ部６３は、回転部材４０に形成されているネジ山部４１に対応する形状に形成されており、スライダー本体６２を貫通するように形成されている。この雌ネジ部６３と回転部材４０のネジ山部４１とのネジ結合によってスライダー６１は、回転部材４０の回転によって回転部材４０の長手方向にスライディングする。
【００２５】
スライダー６１は、略六面体形状のスライダー本体６２と、スライダー本体６２と対向する２面にネジ結合する一対のピン６５とを有する。ピン６５は、リンク部材５１の第１ヒンジ結合部５３とヒンジ結合し、回動リンク５０が安定的に運動することができるようにする。
【００２６】
このような機能をするピン６５は、頭部６６、結合部６７及びピンネジ山部６８で構成される。ピンネジ山部６８は、スライダー本体６２に形成されているスライダーネジ山部６４とネジ結合してピン６５をスライダー本体６２に固定する。頭部６６は、下部支持台８０のガイドレール８１の外部に突出されてスライダー６１の動きによってガイドレール８１を往復する。頭部６６の大きさは、ガイドレール８１から外れない程度の大きさである。頭部６６によってスライダー６１とこれに連結された回動リンク５０が左右に動かなく安定的に動作する。
【００２７】
頭部６６とピンネジ山部６８との間には、リンク部材５１の第１ヒンジ結合部５３がヒンジ結合されるバー状の結合部６７がある。結合部６７の一部分は、リンク部材５１の第１ヒンジ結合部５３とヒンジ結合し、他の部分はガイドレール８１の下部と転がり接触しながらスライダー６１を案内する。即ち、結合部６７と頭部６６は、下部支持台８０に設けられたガイドレール８１によって案内される被案内部となる。被案内部は、回転部材４０を下部支持台８０に支持させ回転部材４０が下部支持台８０の横方向に動くことを防止する。スライダー６１も第１リンク部材５１ａと第２リンク部材５１ｂにそれぞれヒンジ結合する第１スライダー６１ａと第２スライダー６１ｂとから構成されている。
【００２８】
このようなスライダー６１は、様々な変形が可能である。実施形態のように、スライダー本体６２の側面を通じず、スライダー本体６２の上部面を通じてリンク部材５１とヒンジ結合しても差し支えない。もちろん、この場合、スライダー６１だけでなくリンク部材５１の第１ヒンジ結合部５３の形態も変形が必要である。また、ピン６５の頭部６６がなくても差し支えない。スライダー本体６２と結合部６７の形状も本実施形態に制限されない。
【００２９】
回転部材４０は、断面形状が円形であるバー状に形成され、略長手方向の半部分を基準にして一つの半部には一定方向のネジ山部４１ａが形成され、他の半部には反対方向のネジ山部４１ｂが形成されている。回転部材４０の一端は、駆動モータ３０に連結されている。回転部材４０と駆動モータ３０との連結は、実施形態のように直接に連結することもでき、回転部材４０の一端にギヤを装着し駆動モータ３０にこれに対応するギヤが噛合われるように装着することもできる。この時、ギヤは、ヘリカルギヤであることが好ましい。
【００３０】
駆動モータ３０は、電源が供給されると回転運動が発生し、一端部に回転部材４０と結合されて回転力を伝達する出力軸（図示せず）が設けられ、駆動モータ３０と連結されて駆動モーター３０を正回転及び逆回転するスイッチ３３が本体１０の一領域に設けられる（図３参照）。
【００３１】
下部支持台８０は、回転部材４０を受容し、回動リンクが安定的に運動することができるように支持する。下部支持台８０は、略上部面が除去された長い四角形筒形状をしている。長手方向の両側面には、両側面の一部を長手方向に除去したガイドレール８１が形成されている。ガイドレール８１は、回転部材のネジ山部４１の方向によって二部分８１ａ、８１ｂに分かれる。但し、二つ部分のガイドレール８１ａ、８１ｂが相互に連結されていても差し支えない。ガイドレール８１には、スライダー６１の結合部６７の一部が亙れ、結合部６７に連結された頭部６６がガイドレール８１を間において下部支持台８０の外に突出される。両側に形成された頭部９９を除いたスライダー６１の幅は、対向するガイドレール８１の間の距離より多少大きくなければならない。下部支持台８０の一端には、駆動モーター３０で連結された回転部材４０が通過する回転部材通過孔８０がある。他端には、回転部材４０を支持する回転部材支持孔（図示せず）がある。
【００３２】
結合部６７及び頭部６６を案内するガイドレール８１は、ガイド部として役割を果たすのに、ガイド部は、実施形態に限られず多様な形態の変形が可能である。即ち、被ガイド部を下部支持台８０の長手方向に案内することができるならば十分であり、また、下部支持台８０と別度に設けることもできる。
【００３３】
これによって、本発明による昇降装置２０の組み立て過程の一例を見ると、一対のスライダー本体６２の雌ネジ部６３と回転部材４０のネジ山部４１とをネジ結合して、スライダー本体６２と回転部材４０を結合させる。ネジ山部４１は、ネジの巻かれ方向が異なる二つの部分４１ａ、４１ｂからなっているので、一対のスライダー本体６２はそれぞれ回転部材４０の両側端部から結合される。この時、一対のスライダー本体６２は、回転部材４０上でネジ山の方向が反対になる所を中心にして同一の距離に位置する。
【００３４】
一対のスライダー本体６２が装着された回転部材４０は、下部支持台８０の回転部材通過孔８２と回転部材支持孔（図示せず）を利用して下部支持台８０に固定される。その後、一対の第１ヒンジ結合部５３の結合孔５６ａがそれぞれスライダー本体６２の両片に形成されているスライダーネジ山部６４に位置するようにリンク部材５１を設けて、第１ヒンジ結合部５３に結合部６７を挿入し、ピンネジ部６６とスライダーネジ山部６４をネジ結合する。この時、ピン６５は、下部支持台８０に形成されているガイドレール８１を間においてスライダー本体６２と結合される。ピンネジ部６６とスライダーネジ部６４との結合によってリンク部材５１とスライダー６１がヒンジ結合され、頭部６６は、ガイドレール８１を間において下部支持台８０の外部に位置する。
【００３５】
一対のリンク部材５１をスライダー６１にヒンジ結合して、第２ヒンジ結合部５４と結合孔７１に結合ピン７２を挿入することによって、リンク部材５１と昇降部７０をヒンジ結合させる。駆動モータ３０を回転部材４０に連結し、貯蔵容器支持部７３を昇降部７０の上側に位置させることによって、本発明による昇降装置２０の組立過程が完成される。
【００３６】
図８に示すように、本発明による昇降装置２０のリンク部材５１が回転部材４０方向に折られて、昇降装置２０が下降した状態を示している。
【００３７】
図９に示すように、本発明による昇降装置２０のリンク部材５１が回転部材４０の横方向に向いた昇降装置２０が貯蔵容器１５を昇降させた状態を示している。
【００３８】
このような構成によって、本発明の実施形態による冷蔵庫１の昇降装置２０の作動過程を見ると、昇降装置２０の上昇過程は、本体１０の一領域に付着されて昇降装置２０の駆動モーター３０と連結されたスイッチ３３を操作すると、駆動モータ３０の出力軸（図示せず）がスイッチ３３によって操作されただけ回転され、これによって駆動モータ３０と連結された回転部材４０が同時に回転する。これによって、回転部材４０とネジ結合された一対のスライダー６１が回転部材４０の中央方向に移動すると共に、スライダー６１にヒンジ結合された一対のリンク部材５１の一方も回転部材４０の中央方向に移動する。即ち、一対の回動リンク５０が相互に接近する。リンク部材５１の一側の移動によって昇降部とヒンジ結合されているリンク部材５１の他側は上昇し、これに連結されている昇降部７０も上昇する。これによって、昇降部７０の上部にある貯蔵容器支持部７３と貯蔵容器１５が上昇する。したがって、ユーザーは、腰をかがめなくても貯蔵容器１５を容易に出すことができる。この時、スライダー６１の結合部６７の一部は、ガイドレール８１によって回転部材４０の中央方向に移動し、結合部６７と連結された頭部６６も共に移動する。結合部６７と頭部６６は、回動リンク５０が下部支持台８０内で左右に動くことを防止し、スライダー本体６２にネジ結合されている回転部材４０を支持する役割を果たす。
【００３９】
貯蔵容器１５を下降させるための昇降装置２０の下降過程は、本体１０の一領域に付着されたスイッチ３３を操作して駆動モータ３０を逆回転させ、これによって前述した過程の逆順で貯蔵容器１５が下降する。即ち、一対の回動リンク５０が相互に離隔される。従って、ユーザーは、貯蔵容器１５を貯蔵室１３に入る時も腰をかがめる必要が無い。
【００４０】
また、図８に示すように、下降状態で駆動モータ３０を除いた昇降装置２０が全部下部支持台８０に受容されるように制作することもできる。この場合、本発明の昇降装置２０が占める部分をとても小さくすることができる。このように、本発明の昇降装置２０は、高さを低く制作することができるので、貯蔵室１３の嵩が減ることを最小化にすることができる。
【００４１】
昇降装置２０は、冷蔵庫１の貯蔵室１３内に受容され、駆動モータ３０とスイッチ３３との連結線が分離可能に連結されており（図示せず）、ユーザーの選択に従って着脱可能に設けられることもでき、昇降装置２０が冷蔵庫１の本体１０と一体形に制作することもできる。
【００４２】
以上、説明したように、本発明によると貯蔵室内に受容された貯蔵容器をユーザーが容易に、願うだけ、上昇させることができる冷蔵庫が提供される。
【図面の簡単な説明】
【００４３】
【図１】従来の冷蔵庫の斜視図である。
【図２】図１の断面図である。
【図３】本発明の実施形態による冷蔵庫の斜視図である。
【図４】図３の断面図である。
【図５】本発明の実施形態による昇降装置の斜視図である。
【図６】図５の分解斜視図である。
【図７】本発明の実施形態によるスライダーの斜視図である。
【図８】本発明の実施形態による昇降装置の下降状態の断面図である。
【図９】本発明の実施形態による昇降装置の上昇状態の断面図である。
【符号の説明】
【００４４】
１    冷蔵庫
１０  本体
１１  ドア
１３  貯蔵室
１５  貯蔵容器
１７  機械室
２０  昇降装置
３０  駆動モーター
３３  スイッチ
４０  回転部材
４１  ネジ山部
５０  回動リンク
５１  リンク部材
５２  連結部
５３  第１ヒンジ結合部
５４  第２ヒンジ結合部
６１  スライダー
６２  スライダー本体
６３  雌ネジ部
６４  スライダーネジ山部
６５  ピン
６６  頭部
６７  結合部
６８  ピンネジ山部
７０  昇降部
７１  結合孔
７２  結合ピン
７３  貯蔵容器支持部
８０  下部支持台
７３  貯蔵容器支持部
８０  下部支持台
８１  ガイドレール
８２  回転部材通過孔
【図１】
2005195323.tif 000004
【図２】
2005195323.tif 000005
【図３】
2005195323.tif 000006
【図４】
2005195323.tif 000007
【図５】
2005195323.tif 000008
【図６】
2005195323.tif 000009
【図７】
2005195323.tif 000010
【図８】
2005195323.tif 000011
【図９】
2005195323.tif 000012